(57)【要約】【課題】木片とプラスチック片とを粉砕して混合すると共に熱圧縮してなる異素材混成板を所望の形状に切断する際、その切断作業を好適する手段で行い、しかも接着剤を使用することのない構造とすることによって板材の再利用に適するようにした、異素材混成板を用いた装飾品又は家具を提供する。【解決手段】木片とプラスチック片とを粉砕して混合すると共に熱圧縮することにより板状に形成してなる異素材混成板をＮＣ加工により所望形状に切断することによって装飾品を形成するか、又は異素材混成板をＮＣ加工により所定形状の外形に切断すると共に該異素材混成板にＮＣ加工により所定形状の溝又はほぞを形成したパーツを形成し、各パーツの溝と溝とを組合せるか、又は溝とほぞとを組合せることによって、接着剤又は固定金具を使用せずに装飾品又は家具を形成するようにした。【選択図】図２
2011148110.tif 000002
【特許請求の範囲】
【請求項１】
木片とプラスチック片とを粉砕して混合すると共に熱圧縮することにより板状に形成してなる異素材混成板をＮＣ加工により所望形状に切断することによって装飾品を形成するか、又は異素材混成板をＮＣ加工により所定形状の外形に切断すると共に該異素材混成板にＮＣ加工により所定形状の溝又はほぞを形成したパーツを形成し、各パーツの溝と溝とを組合せるか、又は溝とほぞとを組合せることによって、接着剤又は固定金具を使用せずに装飾品又は家具を形成するようにしたことを特徴とする異素材混成板を用いた装飾品又は家具。
【請求項２】
異素材混成板は、廃木材とペットボトルキャップを混成してなることを特徴とする請求項１記載の異素材混成板を用いた装飾品又は家具。
【請求項３】
複数のパーツからなる装飾品又は家具における劣化したパーツを取り替えることによって装飾品又は家具の再生を行うようにしたことを特徴とする請求項１又は２記載の異素材混成板を用いた装飾品又は家具。
【発明の詳細な説明】
【技術分野】
【０００１】
本発明は、木片とプラスチック片とを粉砕して混合すると共に熱圧縮することにより板状に形成してなる異素材混成板を用いた装飾品又は家具に関する。
【背景技術】
【０００２】
近年、廃品として回収されたペットボトルキャップ等の廃プラスチックと廃木材とを主原料として「エコプライ」（商標名）と称する板材が開発されている。この板材は、木材のチップとプラスチックのチップとをファイバー状に積層して熱圧縮したものであり、主として建築用のコンクリート型枠材として使用され、表面の平滑性、高強度性、遮音性、断熱性、耐腐食性等に優れるものである。
【０００３】
以下、上記のような異素材によって構成した板材に関する従来技術について説明する。特許文献１に記載されている「複合床材」は、三層を成す中間の層に熱可塑性樹脂系基材をセンターコアとして設け、その上下の層に木質系基材を積層し、各層を必要に応じて接着剤で接着したものである。
【０００４】
この複合床材は、熱による影響を受けやすい熱可塑性樹脂系基材の上下面を熱による寸法安定性に優れた木質系基材で積層したことに特徴を有するものである。しかしながら、熱可塑性樹脂系基材の上下の表面は木質系基材から構成されているため、表面の平滑性、耐湿性、耐腐食性に劣るものである。また、各層を接着剤で固定してあるため、この複合床材をリサイクルする際に接着剤を除去する作業が必要となる。従って、この特許文献１の複合床材は、リサイクルに適する材料ではなかった。
【０００５】
さらに他の技術として、特許文献２に記載されている「木材由来生成物からなるボード及びその製造方法」は、木質削片又は木質繊維と、プラスチック粒子又はプラスチック繊維を結合剤と共にホットプレス法により圧縮してボードを形成するものである。このようにして作成したボードは、全体が木質削片又は木質繊維と、プラスチック粒子又はプラスチック繊維との混合によって形成されたものであり、特許文献１のように各層を結合する接着剤を使用しないため、この接着剤を除去する工程を経ずに材料の再利用に供することが可能である。
【先行技術文献】
【特許文献】
【０００６】
【特許文献１】特開２００９−４６９０９号公報
【特許文献２】特表２００６−５２７０９８号公報
【発明の概要】
【発明が解決しようとする課題】
【０００７】
ところが、特許文献２等に記載されている板材は、その材料の表面の平滑性、高強度性、断熱性、耐腐食性等を生かす用途として、建築用のコンクリート型枠材に使用されるに過ぎないものであった。その理由としては、上記のように溶融固化したプラスチックを成分として含む板材を装飾品や家具等の構成材として利用するため、この板材を丸ノコ等で切断する際、その切断部に発生する摩擦熱が板材の内部のプラスチックを溶融して丸ノコの歯部に付着し、丸ノコのモータに負荷をかけてモータを故障させるおそれがあったからである。
【０００８】
本発明は上記の事情に鑑みてなされたものであり、木片とプラスチック片とを粉砕して混合すると共に熱圧縮してなる異素材混成板を所望の形状に切断する際、その切断作業を好適する手段で行い、しかも接着剤を使用することのない構造とすることによって板材の再利用に適した形状にし、外観的にデザイン性の高い異素材混成材を用いた装飾品又は家具を提供することを目的とする。
【課題を解決するための手段】
【０００９】
上記の目的を達成するために、本発明の請求項１の異素材混成板を用いた装飾品又は家具は、木片とプラスチック片とを粉砕して混合すると共に熱圧縮することにより板状に形成してなる異素材混成板をＮＣ加工により所望形状に切断することによって装飾品を形成するか、又は異素材混成板をＮＣ加工により所定形状の外形に切断すると共に該異素材混成板にＮＣ加工により所定形状の溝又はほぞを形成したパーツを形成し、各パーツの溝と溝とを組合せるか、又は溝とほぞとを組合せることによって、接着剤又は固定金具を使用せずに装飾品又は家具を形成するようにしたことを特徴とする。
【００１０】
また、本発明の請求項２は、請求項１において、異素材混成板は、廃木材とペットボトルキャップを混成してなることを特徴とする。
【００１１】
さらに、本発明の請求項３は、請求項１又は２において、複数のパーツからなる装飾品又は家具における劣化したパーツを取り替えることによって装飾品又は家具の再生を行うようにしたことを特徴とする。
【発明の効果】
【００１２】
本発明は、板材として、木片とプラスチック片とを粉砕して混合すると共に熱圧縮することにより板状に形成してなる異素材混成板を使用し、この板材をＮＣ加工により切断することによって、装飾品又は家具に使用するパーツを形成するものである。
【００１３】
上記の本発明における異素材混成板は、廃木材とペットボトルキャップを混成することにより形成することができる。このような異素材混成板は、純粋木材よりも密度が高いため、端部が欠け難く、細かい部分の加工に好適する。従って、上記の異素材混成板は、組立て式家具の構成パーツにおける溝加工やほぞ加工或は穴加工を高精度に行うことができ、またアルファベット切り文字加工によるキーホルダー等の装飾品にも適するものとなる
【００１４】
しかも、ＮＣ加工による切断は、高精度な切断を可能とするため、異素材混成板にＮＣ加工により切断した溝と溝の組合せ又は溝とほぞの組合せによって家具を形成することが可能となる。このため、接着剤又は固定金具を使用することなく堅固に組み立てることが可能となり、また板材を分解した状態で保管、販売又は運搬等を行うことができ、携帯にも便利な家具を形成することが可能となる。
【００１５】
さらに、複数のパーツからなる装飾品又は家具において、劣化したパーツを取り替えることにより、装飾品又は家具の再生を行うことが可能となる。また、装飾品又は家具等を構成するパーツをセットで販売するほか、このパーツを単体で販売することよってパーツの組み換えを可能とした家具を構成することも可能となる。
【００１６】
また、本発明の異素材混成板を用いた装飾品又は家具は、リサイクルを目的とするため、上記のように接着剤又は固定金具を使用しないことで、これらを除去する工程が不要となり、循環型社会の推進にも寄与することが可能となる。
【００１７】
さらに、本発明による板材の外観は、ペットボトルキャップ等の溶融したプラスチックの内部に木質の風合いや溶融したプラスチックの微妙な彩色を呈するため、板材のそのものの素地を生かしたデザイン性の高い装飾品や家具を作成することが可能である。
【図面の簡単な説明】
【００１８】
【図１】本発明に用いる異素材混成板の断面図である。
【図２】本発明による異素材混成板を用いた家具としてスツールを形成した実施例を示す図であり、(ａ)〜(ｃ)は分解した板材の平面図、（ｄ）はそれらの板材を組み合わせてなるスツールの斜視図である。
【図３】本発明による異素材混成板を用いた家具として形成したリサイクル品の回収箱に使用する各板材の分解平面図である。
【図４】本発明による異素材混成板を用いた家具として形成したリサイクル品の回収箱の全体斜視図である。
【図５】(ａ)、（ｂ）は、本発明による異素材混成板を用いた装飾品の斜視図である。
【発明を実施するための形態】
【００１９】
以下、本発明の実施例について図面を参照しながら説明する。
【実施例】
【００２０】
本実施例に使用する異素材混成板は、木片とプラスチック片とを粉砕して混合すると共に熱圧縮することにより板状に形成したものである。即ち、木片は、伐採した木材や建築現場等から回収した廃材等を利用して、その木片を粉末状又はファイバー状に粉砕して使用する。ただし、木材は、元来、水分を多く含むため、含水率が問題となる。従って、木材の乾燥が十分でない場合、成形後の板材に割れや変形が生じるため、１０％程度の含水率、望ましくは５％程度の含水率となるように乾燥する必要がある。
【００２１】
また、本実施例の異素材混成板に使用するプラスチックは、現状では融点が２００℃程度までの樹脂が中心となる。これは、木材に２００℃以上の温度を加えると著しく変質してしまうためである。そこで、このような融点を満足すると共に、成形性の点からも優れている、ポリプロピレン樹脂、ポリエチレン樹脂等のオレフィン系樹脂を中心に使用するのが好ましいとされている。
【００２２】
また、例えば、リサイクルにより回収したペットボトルのキャップ等を利用すると、そのキャップに施された色彩を溶融状態で成形後の板材に含ませることができる。従って、板材に、粉砕された木片の色合いに加えて、赤、青、白、黄色等の色彩を加味し、独特の意匠性を有する板材を得ることが可能となる。
【００２３】
また、本実施例の板材は、熱圧成型の過程で、繊維化されたプラスチックが木片チップを強固につなぎ止めるため、接着剤を用いることなく強い強度で木片チップを結合することを可能としている。
【００２４】
このような異素材混成板１において、図１に示すように、板材の中央側において木片２のチップを多く含み、表面側において溶融したプラスチック３を多く含むことによって、内部の木質を表面側の耐水性のプラスチック３で保護した構成となり、表面が平滑化された光沢性のある外観となる。
【００２５】
また、このような板材の表面においては、溶融したプラスチック３が略透明を有し、その透明プラスチック３の内部に木片２のチップが透過して見え、さらに溶融したペットボトルのキャップ等の廃プラスチックによる色彩を有するプラスチック４が混在するという独特の意匠性を呈することとなる。
【００２６】
従って、本実施例に用いる異素材混成板は、上記のように板材の有する独特の意匠性を生かすために表面に着色塗装を施すことなく使用するのが好ましい。ただし、板材の表面を塗装等によって着色することも可能である。
【００２７】
本実施例に使用する異素材混成板は、ＮＣ加工により所望の精密な形状に切断することによって装飾品又は家具に使用する板材の外形または内部の形状を形成するものである。このため、異素材混成板を切断する手段として、ＮＣ加工機を用いてコンピュータ制御により所望の外形、溝又はほぞを高精度に切断する方法を用いると、高精度の加工を行なうことが可能となり、異素材混成板の内部のプラスチック片を溶融することなく、良好に切断することが可能となる。
【００２８】
さらに、本実施例に使用する異素材混成板にＮＣ加工により外形を形成して装飾品や家具の構成パーツとし、各パーツにＮＣ加工によって高精度の溝又はほぞを形成することにより、接着剤を使用することなく、板材の組合せだけで所定形状の装飾品や家具を構成することが可能となる。
【００２９】
その具体例として、図２（ａ）〜（ｄ）に、本実施例による異素材混成板１を用いた家具としてスツール５を形成した実施例を示す。
【００３０】
図２（ａ）はスツール５の座板６であり、図１に示す異素材混成板１の外形を円形に形成した内部に、中心から四方に放射する長方形の溝７ａ、７ｂ、７ｃ、７ｄが形成されている。また、図２（ｂ）、（ｃ）に示す脚板８ａ、８ｂは外形を略台形に形成すると共に、その上端の左右に、上記の座板６の４本の溝７ａ、７ｂ、７ｃ、７ｄに圧接状態で嵌合するほぞ９ａ、９ｂ、９ｃ、９ｄが形成されている。
【００３１】
また、図２（ｂ）、（ｃ）に示す各脚板８ａ、８ｂの下端の左右には下方に突出した脚部１１、１１が形成されている。さらに、図２（ｂ）の脚板８ａに下端中央から上方に切り込まれた縦状の溝１２ａが形成され、図２（ｃ）の脚板８ｂに上端中央から下方に切り込まれた縦状の溝１２ｂが形成されている。
【００３２】
そして、図２(ｂ)の縦状の溝１２ａを図２（ｃ）の縦状の溝１２ｂに圧接状態で嵌合することによって図２（ｄ）の脚部１３を組み立てると共に、夫々の脚板８ａ、８ｂの上端のほぞ９ａ、９ｂ、９ｃ、９ｄに、図２（ａ）の長方形の溝７ａ、７ｂ、７ｃ、７ｄを圧接状態に嵌め込むことによって、図２(ｄ)に示すスツール５を完成する。
【００３３】
このようなスツール５の構造において、座板６と双方の脚板８ａ、８ｂの外形及び夫々の溝７ａ、７ｂ、７ｃ、７ｄとほぞ９ａ、９ｂ、９ｃ、９ｄとを全てＮＣ加工により正確に切断することによって、互いの溝とほぞ、又は溝と溝とを圧接した状態で噛みあわせることが可能となる。従って、スツール５を構成する各板材を分解した状態で簡易に運搬し、所望箇所にて接着剤を用いることなく組み立てて使用することが可能となる。
【００３４】
また、図３は、リサイクル品の回収箱１４（図４参照）に使用する各板材を平面図で示したものである。夫々の板材１５ａ〜１５ｅは、図１に示す異素材混成板１の外形をＮＣ加工で切断し、また所定箇所の溝とほぞとをＮＣ加工で形成したものである。
【００３５】
ここで、図３に示す各板材１５ａ〜１５ｅについて説明すると、背板１５ａは長方形に形成され、この背板１５ａの両側には上下位置にほぞ１６ａ、１６ｂ、１６ｃ、１６ｄが形成されると共に、下端付近の中央には横向きに長方形状の溝１７が形成されている。
【００３６】
また、背板１５ａの左右には対称形をなして２枚の側板１５ｂ、１５ｃが設けられている。各側板１５ｂ、１５ｃは対称的な形状を有し、各側板１５ｂ、１５ｃの前側の下部付近には横方向に長方形の溝１７ａ、１７ｂが切り込まれている。また、各側板１５ｂ、１５ｃの下端の前後には下方に突出された脚部１８、１８…が形成されている。
【００３７】
さらに、各側板１５ｂ、１５ｃの後端近傍には上下位置に縦状に長方形の溝１９ａ、１９ｂ、１９ｃ、１９ｄが形成されている。夫々の溝１９ａ〜１９ｄには、上記の背板１５ａの両側における上下位置に設けられたほぞ１６ａ〜１６ｄが嵌合するものである。
【００３８】
さらに、各側板１５ｂ、１５ｃの上部の後方には上方に突出した背部２０ａ、２０ｂが形成され、各背部２０ａ、２０ｂの前側は傾斜辺２１ａ、２１ｂを有すると共に、各側板１５ｂ、１５ｃの上端には傾斜辺２１ａ、２１ｂに沿って長形の傾斜溝２２ａ、２２ｂが形成されている。
【００３９】
また、各側板１５ｂ、１５ｃの内側には前端の近傍に沿って縦方向に細幅の溝２３ａ、２３ｂが形成され、各溝２３ａ、２３ｂにガラス板又は樹脂板等からなる前面板２４の両端を挿着することができる。なお、各側板１５ｂ、１５ｃの上部中央には長円形の貫通穴２５ａ、２５ｂが形成され、完成した回収箱１４（図４参照）を運搬する際に、各貫通穴２５ａ、２５ｂに手指を挿入することが可能となる。
【００４０】
また、上板１５ａはその前面に文字や絵を表示することによってこの回収箱の説明や案内等を表現することができ、意匠性を考慮した所望の外形に形成されている。また、上板１５ａの下端には左右に離間して縦状に溝２６ａ、２６ｂが形成され、夫々の溝２６ａ、２６ｂが各側板１５ｂ、１５ｂの傾斜溝２２ａ、２２ｂに嵌合される。
【００４１】
さらに、底板１５ｅはその後端中央にほぞ２７が形成され、このほぞ２７が上記の背板１５ａの下部中央に設けられた溝１７に嵌合する。また、底板１５ｅの両側は前部が突出しその突出部２８ａ、２８ｂの後方には前方に向けて切り込まれた溝２９ａ、２９ｂが形成され、夫々の溝２９ａ、２９ｂが各側板１５ｂ、１５ｃの前側の下部付近に設けられた溝１７ａ、１７ｂに嵌合する。
【００４２】
上記の構成によって互いの溝と溝、又はほぞと溝とを組み合わせることによって、図４に示すリサイクル品の回収箱１４が完成する。この回収箱１４においても、各板材１５ａ〜１５ｅの外形、溝及びほぞは、全てＮＣ加工により形成される。従って、この実施例においても、上記のスツール５の実施例と同様に、図１に示す異素材混成板１を上記のＮＣ加工で切断することにより、外形及び溝又はほぞを高精度に形成した構成パーツを得ることができる。
【００４３】
また、その他の効果も上記の実施例と同様であり、ＮＣ加工により非常に正確な精度を有する切り口を得ることができ、接着剤又は固定金具を使用せずに、溝と溝又はほぞと溝とを圧接した状態で噛み合わせることが可能となる。このため、板材を分解した状態で保管、販売又は運搬等を行うことができ、運搬後には所定箇所で容易且つ堅固に組み立てることが可能となる。
【００４４】
なお、上記の図２（ｄ）に示すスツール５及び図４に示す回収箱１４は、本発明の代表例を示すものであり、これらの例のように異素材混成板１の外形、溝又はほぞ等をＮＣ加工で切断する限り、他の家具にも同様に応用可能である。
【００４５】
また、図５にブローチやアクセサリーのような装飾品３０について図示している。図５(ａ)はアルファベットの「Ａ」という文字形３０ａを形成したものであり、また図５(ｂ)はツリー３０ｂの外形を形成すると共に上部に穴３１を設け、この穴３１に紐３２を通して固定したものである。これらの装飾品３０は、本発明の異素材混成板１をＮＣ加工によって形成することができる例であり、他にもＮＣ加工の可能な範囲で自由な形状の装飾品を形成することが可能となる。
【００４６】
上記のように本発明の板材を使用して装飾品や家具を使用した場合、板材の外観が溶融したプラスチックの中に木片とペットボトルキャップ等の微妙な彩色を呈する独特の風合いを有するため、素材そのものの素地を生かした装飾品や家具を作成することが可能となる。
【産業上の利用可能性】
【００４７】
本発明の異素材混成板を用いた装飾品又は家具は、木片とプラスチック片とを粉砕して混合すると共に熱圧縮してなる異素材混成板を所望の形状に切断する際、その切断作業を好適する手段で行い、しかも接着剤を使用することのない構造とすることによって板材の再利用に適した形状にし、外観的にもデザイン性の高い異素材混成板を用いた装飾品又は家具として利用することが可能である。
【符号の説明】
【００４８】
１  異素材混成板
２  木片
３  プラスチック
４  色彩を有するプラスチック
５  スツール
６  座板
７ａ、７ｂ、７ｃ、７ｄ  座板の溝
８ａ、８ｂ  脚板
９ａ、９ｂ、９ｃ、９ｄ  脚板のほぞ
１１  脚板の脚部
１２ａ、１２ｂ  脚板の溝
１３  脚部
１４  回収箱
１５ａ、１５ｂ、１５ｃ、１５ｄ、１５ｅ  板材
１５ａ  背板
１５ｂ、１５ｃ  左右の側板
１５ｄ  上板
１５ｅ  底板
１６ａ、１６ｂ、１６ｃ、１６ｄ  背板のほぞ
１７ａ、１７ｂ  側板の溝
１８  側板の脚部
１９ａ、１９ｂ、１９ｃ、１９ｄ  側板の溝
２０ａ、２０ｂ  側板の背部
２１ａ、２１ｂ  側板の傾斜辺
２２ａ、２２ｂ  側板の傾斜溝
２３ａ、２３ｂ  側板の溝
２４  前面板
２５ａ、２５ｂ  側板の貫通穴
２６ａ、２６ｂ  上板の溝
２７  底板のほぞ  
２８ａ、２８ｂ  底板の突出部
２９ａ、２９ｂ  底板の溝
３０  装飾品
３０ａ  文字形
３０ｂ  ツリー
３１  穴
３２  紐
【図１】
2011148110.tif 000003
【図２】
2011148110.tif 000004
【図３】
2011148110.tif 000005
【図４】
2011148110.tif 000006
【図５】
2011148110.tif 000007